(57)【要約】【課題】  携帯端末で撮影した画像データをプリント装置へ送信し、そこで編集を行なった後に、シール用紙等に印刷を行なうプリントシステムにおいて、そのプリント装置の表示部に常に広告データを表示可能とすると共に、利用者からの印刷指示があった際に表示部に表示された広告と関連した印刷用広告を利用者が編集した画像と同一の用紙に印刷可能な広告システム及び広告方法を提供する。【解決手段】  表示用広告データと印刷用広告データとを記憶する手段／手順と、表示用広告データを配信する手段／手順と、配信された表示用広告データを判別する手段／手順と、判別された表示用広告データと対応付けられた印刷用広告データを判別する手段／手順と、そのデータを送信する手段／手順と、を備える。【選択図】  図１
2005056158.tif 000002
【特許請求の範囲】
【請求項１】
携帯端末から送信された画像、文字等のデータを、プリント装置の表示部に表示させ、この表示部に表示された画像、文字等のデータを利用者の任意の指示にしたがって編集し印刷する１又は複数のプリント装置と、この１又は複数のプリント装置にインターネット等のネットワークを介して接続可能な広告配信サーバーとからなる広告システムであって、
プリント装置の広告表示部へ表示される表示用広告データと、プリント装置の印刷部により利用者によって編集された画像データと共に同一の用紙へ印刷される印刷用広告データとを記憶する広告データ記憶手段と、
前記広告データ記憶手段により記憶された表示用広告データをインターネット等のネットワークを介してプリント装置へ配信する手段と、
前記表示用広告データをプリント装置へ配信する手段により配信された表示用広告データがいずれの表示用広告データであるかを判別する表示用広告データ判別手段と、
前記表示用広告データ判別手段により判別された表示用広告データと対応付けられた印刷用広告データを判別する印刷用広告データ判別手段と、
前記印刷用広告データ判別手段により判別された印刷用広告データをプリント装置へ送信する手段と、
を備えたことを特徴とする広告システム。
【請求項２】
前記表示用広告データ判別手段は、プリント装置による印刷要求処理がなされた際に行なわれ、且つ、その際に該プリント装置の広告表示部に表示されている表示用広告データを判別することを特徴とする請求項１に記載の広告システム。
【請求項３】
広告配信サーバーが、
プリント装置へ配信された表示用広告データの配信先プリント装置の識別番号と、表示用広告データ番号と、配信日時データとを記憶する手段と、
前記配信先プリント装置の識別番号と、表示用広告データ番号と、配信日時データとを記憶する手段により記憶された配信先プリント装置の識別番号に基づき該プリント装置の購入額残高を判別する購入額残高判別手段と、
前記購入額残高判別手段により判別された残高から表示用広告データの表示広告料を差引き新たな購入額残高を算出する新購入額残高算出手段と、
前記新購入額残高算出手段により算出された新購入額残高データを該広告配信サーバーの記憶部にもともと記憶されていた購入額残高データと差替えて保存する新購入額残高保存手段と、
前記配信先プリント装置の識別番号と、表示用広告データ番号と、配信日時データとを記憶する手段により記憶された表示用広告データ番号に基づき該表示用広告データの累積表示広告料を判別する累積表示広告料判別手段と、
前記累積表示広告料判別手段により判別された累積表示広告料に表示用広告データの表示広告料を加算し新たな累積表示広告料を算出する新累積表示広告料算出手段と、
前記新累積表示広告料算出手段により算出された新累積表示広告料データを該広告配信サーバーの記憶部にもともと記憶されていた累積表示広告料データと差替えて保存する新累積表示広告料保存手段と、を備え、
更に、これらの手段が、前記表示用広告データをプリント装置へ配信する手段がなされた後に行なわれることを特徴とする請求項１又は２に記載の広告システム。
【請求項４】
広告配信サーバーが、
プリント装置へ送信された印刷用広告データの送信先プリント装置の識別番号と、印刷用広告データ番号と、送信日時データとを記憶する手段と、
前記送信先プリント装置の識別番号と、印刷用広告データ番号と、送信日時データとを記憶する手段により記憶された送信先プリント装置の識別番号に基づき該プリント装置の購入額残高を判別する購入額残高判別手段と、
前記購入額残高判別手段により判別された残高から印刷用広告データの印刷広告料を差引き新たな購入額残高を算出する新購入額残高算出手段と、
前記新購入額残高算出手段により算出された新購入額残高データを該広告配信サーバーの記憶部にもともと記憶されていた購入額残高データと差替えて保存する新購入額残高保存手段と、
前記送信先プリント装置の識別番号と、印刷用広告データ番号と、送信日時データとを記憶する手段により記憶された印刷用広告データ番号に基づき該印刷用広告データの累積印刷広告料を判別する累積印刷広告料判別手段と、
前記累積印刷広告料判別手段により判別された累積印刷広告料に印刷用広告データの印刷広告料を加算し新たな累積印刷広告料を算出する新累積印刷広告料算出手段と、
前記新累積印刷広告料算出手段により算出された新累積印刷広告料データを該広告配信サーバーの記憶部にもともと記憶されていた累積印刷広告料データと差替えて保存する新累積印刷広告料保存手段と、を備え、
更に、これらの手段が、前記印刷用広告データをプリント装置へ送信する手段がなされた後に行なわれることを特徴とする請求項１乃至３のいずれかに記載の広告システム。
【請求項５】
携帯端末から送信された画像、文字等のデータを、プリント装置の表示部に表示させ、この表示部に表示された画像、文字等のデータを利用者の任意の指示にしたがって編集し印刷する１又は複数のプリント装置と、この１又は複数のプリント装置にインターネット等のネットワークを介して接続可能な広告配信サーバーとからなる広告方法であって、
プリント装置の広告表示部へ表示される表示用広告データと、プリント装置の印刷部により利用者によって編集された画像データと共に同一の用紙へ印刷される印刷用広告データとを記憶する広告データ記憶手順と、
前記広告データ記憶手順により記憶された表示用広告データをインターネット等のネットワークを介してプリント装置へ配信する手順と、
前記表示用広告データをプリント装置へ配信する手順により配信された表示用広告データがいずれの表示用広告データであるかを判別する表示用広告データ判別手順と、
前記表示用広告データ判別手順により判別された表示用広告データと対応付けられた印刷用広告データを判別する印刷用広告データ判別手順と、
前記印刷用広告データ判別手順により判別された印刷用広告データをプリント装置へ送信する手順と、
を備えたことを特徴とする広告方法。
【請求項６】
前記表示用広告データ判別手順は、プリント装置による印刷要求処理がなされた際に行なわれ、且つ、その際に該プリント装置の広告表示部に表示されている表示用広告データを判別することを特徴とする請求項５に記載の広告方法。
【請求項７】
広告配信サーバーが、
プリント装置へ配信された表示用広告データの配信先プリント装置の識別番号と、表示用広告データ番号と、配信日時データとを記憶する手順と、
前記配信先プリント装置の識別番号と、表示用広告データ番号と、配信日時データとを記憶する手順により記憶された配信先プリント装置の識別番号に基づき該プリント装置の購入額残高を判別する購入額残高判別手順と、
前記購入額残高判別手順により判別された残高から表示用広告データの表示広告料を差引き新たな購入額残高を算出する新購入額残高算出手順と、
前記新購入額残高算出手順により算出された新購入額残高データを該広告配信サーバーの記憶部にもともと記憶されていた購入額残高データと差替えて保存する新購入額残高保存手順と、
前記配信先プリント装置の識別番号と、表示用広告データ番号と、配信日時データとを記憶する手順により記憶された表示用広告データ番号に基づき該表示用広告データの累積表示広告料を判別する累積表示広告料判別手順と、
前記累積表示広告料判別手順により判別された累積表示広告料に表示用広告データの表示広告料を加算し新たな累積表示広告料を算出する新累積表示広告料算出手順と、
前記新累積表示広告料算出手順により算出された新累積表示広告料データを該広告配信サーバーの記憶部にもともと記憶されていた累積表示広告料データと差替えて保存する新累積表示広告料保存手順と、を備え、
更に、これらの手順が、前記表示用広告データをプリント装置へ配信する手順がなされた後に行なわれることを特徴とする請求項５又は６に記載の広告方法。
【請求項８】
広告配信サーバーが、
プリント装置へ送信された印刷用広告データの送信先プリント装置の識別番号と、印刷用広告データ番号と、送信日時データとを記憶する手順と、
前記送信先プリント装置の識別番号と、印刷用広告データ番号と、送信日時データとを記憶する手順により記憶された送信先プリント装置の識別番号に基づき該プリント装置の購入額残高を判別する購入額残高判別手順と、
前記購入額残高判別手順により判別された残高から印刷用広告データの印刷広告料を差引き新たな購入額残高を算出する新購入額残高算出手順と、
前記新購入額残高算出手順により算出された新購入額残高データを該広告配信サーバーの記憶部にもともと記憶されていた購入額残高データと差替えて保存する新購入額残高保存手順と、
前記送信先プリント装置の識別番号と、印刷用広告データ番号と、送信日時データとを記憶する手順により記憶された印刷用広告データ番号に基づき該印刷用広告データの累積印刷広告料を判別する累積印刷広告料判別手順と、
前記累積印刷広告料判別手順により判別された累積印刷広告料に印刷用広告データの印刷広告料を加算し新たな累積印刷広告料を算出する新累積印刷広告料算出手順と、
前記新累積印刷広告料算出手順により算出された新累積印刷広告料データを該広告配信サーバーの記憶部にもともと記憶されていた累積印刷広告料データと差替えて保存する新累積印刷広告料保存手順と、を備え、
更に、これらの手順が、前記印刷用広告データをプリント装置へ送信する手順がなされた後に行なわれることを特徴とする請求項５乃至７のいずれかに記載の広告方法。
【発明の詳細な説明】
【技術分野】
【０００１】
本発明は、広告システム及び広告方法に関し、特に、携帯電話機から赤外線データ送信により送信された画像データ等を受信し、その画像データ等の修正・加工を行い所定のシール用紙等に印刷するプリントシステムにおいて用いられる広告配信機能・広告印刷機能を備えた広告システム及び広告方法に関する。
【背景技術】
【０００２】
従来、カメラ付携帯電話機やデジタルカメラ等の携帯端末で撮影した画像データを赤外線データ通信等の通信手段によりプリント装置へ送信し、そこで各種編集処理を行なった後に、シールシート等の所定の用紙に印刷を行なうプリントシステムにおいて、印刷を行なう用紙の余白部分にタイムリーな広告データやパスワード等を付与した懸賞データ等を印刷する広告・懸賞データ添付合成機能を備えたプリントシステムが存在している（特願２００３−０３６３８２「プリントシステム及びプリント方法」）。
【０００３】
このプリントシステムでは、あくまでプリント装置において編集された画像データと広告データ等を合成し所定のシール用紙等へ印刷する処理のみが行なわれていた。
【０００４】
また、デジタルカメラ等で撮影した画像を受信し印刷を行なうプリントシステムにおいて、印刷を行なう用紙の余白部分に広告を印刷した場合には、その印刷代金を割引くという割引機能を備えたプリントシステムが複数存在している（例えば、特開２００３−１５０３３０「画像プリント装置、画像プリントシステム、画像プリント方法及びプログラム」）。
【０００５】
このプリントシステムでも、やはり、あくまでプリント装置において広告データを含む画像データを所定の用紙へ印刷する処理のみが行なわれていた。
【発明の開示】
【発明が解決しようとする課題】
【０００６】
しかし、これら本発明と技術分野の類似する先願発明において、広告効果（宣伝効果）が現れるのは、広告が添付された印刷物が印刷され排出された後であり、それ以前（例えば、利用者がプリント装置で画像の編集作業等を行なっている最中や、プリント装置に利用者がいないアイドルタイム時等）には、広告効果（宣伝効果）を発揮し得ないものであった。
【０００７】
本発明は、上述のような実情に鑑みてなされたものであり、カメラ付携帯電話機やデジタルカメラ等の携帯端末で撮影した画像データを赤外線データ通信等の通信手段によりプリント装置へ送信し、そこで各種編集処理を行なった後に、シールシート等の所定の用紙に印刷を行なうプリントシステムにおいて、そのプリント装置の表示部に常に広告データを表示可能とすると共に、利用者からの印刷実行指示があった際に、その時に表示部に表示された広告データと関連した（対応付けられた）印刷用広告データを利用者により編集された画像データ等と同一の用紙に印刷可能な広告システム及び広告方法の提供を目的とする。
【課題を解決するための手段】
【０００８】
本発明は上記目的を達成するため、請求項１に記載の発明は、携帯端末から送信された画像、文字等のデータを、プリント装置の表示部に表示させ、この表示部に表示された画像、文字等のデータを利用者の任意の指示にしたがって編集し印刷する１又は複数のプリント装置と、この１又は複数のプリント装置にインターネット等のネットワークを介して接続可能な広告配信サーバーとからなる広告システムであって、プリント装置の広告表示部へ表示される表示用広告データと、プリント装置の印刷部により利用者によって編集された画像データと共に同一の用紙へ印刷される印刷用広告データとを記憶する広告データ記憶手段と、前記広告データ記憶手段により記憶された表示用広告データをインターネット等のネットワークを介してプリント装置へ配信する手段と、前記表示用広告データをプリント装置へ配信する手段により配信された表示用広告データがいずれの表示用広告データであるかを判別する表示用広告データ判別手段と、前記表示用広告データ判別手段により判別された表示用広告データと対応付けられた印刷用広告データを判別する印刷用広告データ判別手段と、前記印刷用広告データ判別手段により判別された印刷用広告データをプリント装置へ送信する手段と、を備えたことを特徴とする。
【０００９】
請求項２に記載の発明は、前記表示用広告データ判別手段は、プリント装置による印刷要求処理がなされた際に行なわれ、且つ、その際に該プリント装置の広告表示部に表示されている表示用広告データを判別することを特徴とする。
【００１０】
請求項３に記載の発明は、広告配信サーバーが、プリント装置へ配信された表示用広告データの配信先プリント装置の識別番号と、表示用広告データ番号と、配信日時データとを記憶する手段と、前記配信先プリント装置の識別番号と、表示用広告データ番号と、配信日時データとを記憶する手段により記憶された配信先プリント装置の識別番号に基づき該プリント装置の購入額残高を判別する購入額残高判別手段と、前記購入額残高判別手段により判別された残高から表示用広告データの表示広告料を差引き新たな購入額残高を算出する新購入額残高算出手段と、前記新購入額残高算出手段により算出された新購入額残高データを該広告配信サーバーの記憶部にもともと記憶されていた購入額残高データと差替えて保存する新購入額残高保存手段と、前記配信先プリント装置の識別番号と、表示用広告データ番号と、配信日時データとを記憶する手段により記憶された表示用広告データ番号に基づき該表示用広告データの累積表示広告料を判別する累積表示広告料判別手段と、前記累積表示広告料判別手段により判別された累積表示広告料に表示用広告データの表示広告料を加算し新たな累積表示広告料を算出する新累積表示広告料算出手段と、前記新累積表示広告料算出手段により算出された新累積表示広告料データを該広告配信サーバーの記憶部にもともと記憶されていた累積表示広告料データと差替えて保存する新累積表示広告料保存手段と、を備え、更に、これらの手段が、前記表示用広告データをプリント装置へ配信する手段がなされた後に行なわれることを特徴とする。
【００１１】
請求項４に記載の発明は、広告配信サーバーが、プリント装置へ送信された印刷用広告データの送信先プリント装置の識別番号と、印刷用広告データ番号と、送信日時データとを記憶する手段と、前記送信先プリント装置の識別番号と、印刷用広告データ番号と、送信日時データとを記憶する手段により記憶された送信先プリント装置の識別番号に基づき該プリント装置の購入額残高を判別する購入額残高判別手段と、前記購入額残高判別手段により判別された残高から印刷用広告データの印刷広告料を差引き新たな購入額残高を算出する新購入額残高算出手段と、前記新購入額残高算出手段により算出された新購入額残高データを該広告配信サーバーの記憶部にもともと記憶されていた購入額残高データと差替えて保存する新購入額残高保存手段と、前記送信先プリント装置の識別番号と、印刷用広告データ番号と、送信日時データとを記憶する手段により記憶された印刷用広告データ番号に基づき該印刷用広告データの累積印刷広告料を判別する累積印刷広告料判別手段と、前記累積印刷広告料判別手段により判別された累積印刷広告料に印刷用広告データの印刷広告料を加算し新たな累積印刷広告料を算出する新累積印刷広告料算出手段と、前記新累積印刷広告料算出手段により算出された新累積印刷広告料データを該広告配信サーバーの記憶部にもともと記憶されていた累積印刷広告料データと差替えて保存する新累積印刷広告料保存手段と、を備え、更に、これらの手段が、前記印刷用広告データをプリント装置へ送信する手段がなされた後に行なわれることを特徴とする。
【００１２】
請求項５に記載の発明は、携帯端末から送信された画像、文字等のデータを、プリント装置の表示部に表示させ、この表示部に表示された画像、文字等のデータを利用者の任意の指示にしたがって編集し印刷する１又は複数のプリント装置と、この１又は複数のプリント装置にインターネット等のネットワークを介して接続可能な広告配信サーバーとからなる広告方法であって、プリント装置の広告表示部へ表示される表示用広告データと、プリント装置の印刷部により利用者によって編集された画像データと共に同一の用紙へ印刷される印刷用広告データとを記憶する広告データ記憶手順と、前記広告データ記憶手順により記憶された表示用広告データをインターネット等のネットワークを介してプリント装置へ配信する手順と、前記表示用広告データをプリント装置へ配信する手順により配信された表示用広告データがいずれの表示用広告データであるかを判別する表示用広告データ判別手順と、前記表示用広告データ判別手順により判別された表示用広告データと対応付けられた印刷用広告データを判別する印刷用広告データ判別手順と、前記印刷用広告データ判別手順により判別された印刷用広告データをプリント装置へ送信する手順と、を備えたことを特徴とする。
【００１３】
請求項６に記載の発明は、前記表示用広告データ判別手順は、プリント装置による印刷要求処理がなされた際に行なわれ、且つ、その際に該プリント装置の広告表示部に表示されている表示用広告データを判別することを特徴とする。
【００１４】
請求項７に記載の発明は、広告配信サーバーが、プリント装置へ配信された表示用広告データの配信先プリント装置の識別番号と、表示用広告データ番号と、配信日時データとを記憶する手順と、前記配信先プリント装置の識別番号と、表示用広告データ番号と、配信日時データとを記憶する手順により記憶された配信先プリント装置の識別番号に基づき該プリント装置の購入額残高を判別する購入額残高判別手順と、前記購入額残高判別手順により判別された残高から表示用広告データの表示広告料を差引き新たな購入額残高を算出する新購入額残高算出手順と、前記新購入額残高算出手順により算出された新購入額残高データを該広告配信サーバーの記憶部にもともと記憶されていた購入額残高データと差替えて保存する新購入額残高保存手順と、前記配信先プリント装置の識別番号と、表示用広告データ番号と、配信日時データとを記憶する手順により記憶された表示用広告データ番号に基づき該表示用広告データの累積表示広告料を判別する累積表示広告料判別手順と、前記累積表示広告料判別手順により判別された累積表示広告料に表示用広告データの表示広告料を加算し新たな累積表示広告料を算出する新累積表示広告料算出手順と、前記新累積表示広告料算出手順により算出された新累積表示広告料データを該広告配信サーバーの記憶部にもともと記憶されていた累積表示広告料データと差替えて保存する新累積表示広告料保存手順と、を備え、更に、これらの手順が、前記表示用広告データをプリント装置へ配信する手順がなされた後に行なわれることを特徴とする。
【００１５】
請求項８に記載の発明は、広告配信サーバーが、プリント装置へ送信された印刷用広告データの送信先プリント装置の識別番号と、印刷用広告データ番号と、送信日時データとを記憶する手順と、前記送信先プリント装置の識別番号と、印刷用広告データ番号と、送信日時データとを記憶する手順により記憶された送信先プリント装置の識別番号に基づき該プリント装置の購入額残高を判別する購入額残高判別手順と、前記購入額残高判別手順により判別された残高から印刷用広告データの印刷広告料を差引き新たな購入額残高を算出する新購入額残高算出手順と、前記新購入額残高算出手順により算出された新購入額残高データを該広告配信サーバーの記憶部にもともと記憶されていた購入額残高データと差替えて保存する新購入額残高保存手順と、前記送信先プリント装置の識別番号と、印刷用広告データ番号と、送信日時データとを記憶する手順により記憶された印刷用広告データ番号に基づき該印刷用広告データの累積印刷広告料を判別する累積印刷広告料判別手順と、前記累積印刷広告料判別手順により判別された累積印刷広告料に印刷用広告データの印刷広告料を加算し新たな累積印刷広告料を算出する新累積印刷広告料算出手順と、前記新累積印刷広告料算出手順により算出された新累積印刷広告料データを該広告配信サーバーの記憶部にもともと記憶されていた累積印刷広告料データと差替えて保存する新累積印刷広告料保存手順と、を備え、更に、これらの手順が、前記印刷用広告データをプリント装置へ送信する手順がなされた後に行なわれることを特徴とする。
【発明の効果】
【００１６】
以上説明したように本発明によれば、カメラ付携帯電話機やデジタルカメラ等の携帯端末で撮影した画像データを赤外線データ通信等の通信手段によりプリント装置へ送信し、そこで各種編集処理を行なった後に、シールシート等の所定の用紙に印刷を行なうプリントシステムにおいて、利用者がプリント装置で画像の編集作業等を行なっている最中や、プリント装置に利用者がいないアイドルタイム時等にも常に、そのプリント装置の広告表示部に広告データを表示可能とすると共に、利用者からの印刷実行指示があった際に、その時に広告表示部に表示された広告データと関連した（対応付けられた）印刷用広告データを利用者により編集された画像データ等と同一の用紙に印刷することが可能となるため、極めて効果的な宣伝広告が可能となる。
【発明を実施するための最良の形態】
【００１７】
本発明を実施するための最良の形態を以下に説明する。
【実施例】
【００１８】
図１は、本実施の形態の広告システムのイメージ図である。図１中、１０は利用者の操作する携帯端末の一種であるカメラ付携帯電話機であり、１１は利用者であり、２０ａ、２０ｂ、２０ｎはプリント装置であり、３０は広告配信サーバーである。
【００１９】
なお、携帯端末の一種である携帯電話機１０は、静止画及び／又は動画の画像データや、文字データ等を一時的に記憶部に保存可能であって、これらのデータを赤外線データ通信でプリント装置２０ａ、２０ｂ〜２０ｎ等へ送信可能な携帯端末（携帯電話機、デジタルカメラ、デジタルビデオ、携帯型ゲーム機、ＰＤＡ（Ｐｅｒｓｏｎａｌ  Ｄｉｇｉｔａｌ  Ａｓｓｉｓｔａｎｔ）等）であれば良いが、本実施の形態では、カメラ機能を有した携帯電話機に基づいて説明を行う。
【００２０】
ここで、カメラ機能を有した携帯電話機１０の構成について、図２の概略ブロック図に基づいて説明する。カメラ付携帯電話機１０は、当該携帯電話機１０の全体を制御する制御部１０１と、テンキーや各種入力キーなどからなる入力部１０２と、無線通信・基地局を介しての通信などを行なう通信部１０３と、画像データや文字データなどを記憶する記憶部１０４と、各種情報を表示する表示部１０５と、受信した音声などを出力するスピーカー１０６と、音声などを入力するマイク１０７と、当該携帯電話機１０の各部に電源を供給するためのバッテリー１０８と、静止画や動画などの映像を撮影するカメラ１０９と、画像データや文字データなどを送受信可能な赤外線データ送受信部１１０とを備えている。
【００２１】
そして、カメラ付携帯電話機１０の記憶部１０４には、画像データを格納するための画像フォルダが設けられており、その画像フォルダに撮影された静止画や動画などの画像データが保存されている。
【００２２】
更に、画像フォルダに保存された画像データは、それぞれの画像毎に、フラグ・フォト番号・日時・タイトル・画像サイズ・ファイルの種類・画像データ等のフィールドを有するレコードにより管理され、そのうち、フラグ欄はその画像が自携帯のカメラで撮影した映像であるか、又は、他からダウンロードされた映像であるかが判断され、その結果、他からダウンロードされた映像であると判断された場合には、著作権・肖像権保護の目的でフラグが立ち、その画像の転送を禁止する。フォト番号欄は画像毎に割り当てられたユニークな番号を格納する。日時欄は画像を撮影した日時データを格納する。タイトル欄はデフォルトではブランクであるが、利用者（本広告システムを利用する者を意味する。）１１によりその画像のタイトルが付与された場合にそのタイトルデータを格納する。画像サイズ欄は画像データのサイズを格納する。ファイルの種類欄は保存された画像データのファイル形式（例えば、ＪＰＥＧ、ＰＮＧ、ビットマップ、ＭＰＥＧ等）情報を格納する。画像データ欄には実際のデジタル画像データを格納する。
【００２３】
次に、プリント装置２０ａやプリント装置２０ｂ〜２０ｎ（ｎは変数をあらわす。）は、インターネット等のネットワーク（通信回線網）を介して広告配信サーバー３０と接続可能であり、且つ、広告配信サーバー３０との間での各種データの送受信が可能である。更に、プリント装置２０ａやプリント装置２０ｂ〜２０ｎは、カメラ付携帯電話機１０から赤外線データ通信により画像データや文字データ等を受信することが可能であって、これら受信データの修正・加工等が表示画面（タッチパネル画面）上で可能であると共に、それらをシール用紙等の任意の用紙に印刷することができるものであれば良い。また、プリント装置２０ａやプリント装置２０ｂ〜２０ｎと広告配信サーバー３０との接続方法は、有線、無線のいずれの方法でも良い。
【００２４】
ここで、プリント装置（２０ａ、２０ｂ〜２０ｎ）の構成について、図３のイメージ図、及び、図４の概略ブロック図に基づいて説明する。プリント装置（２０ａ、２０ｂ〜２０ｎ）は、プリント装置の全体を制御する制御部２０１と、タッチパネル式の液晶ディスプレイ（好ましくは、カラー液晶ディスプレイ）等の表示部２０２と、印刷を行なう画像の編集等に用いる各種データ等を記憶する記憶部２０３と、メモリ２０４と、画像データや文字データ等を送受信可能な赤外線データ送受信部２０５と、印刷処理を行う印刷部２０６と、お金の投入を受付ける金銭投入部２０７と、赤外線データ送受信部２０５で受信したテキスト形式の画像データをＪＰＥＧ（ｊｏｉｎｔ  ｐｈｏｔｏｇｒａｐｈｉｃ  ｅｘｐｅｒｔｓ  ｇｒｏｕｐ）形式等に変換処理するデータ変換処理部２０８と、公衆回線網又は専用回線等の通信回線を介して広告配信サーバー３０と通信する通信部２０９と、表示用広告データを常時表示する液晶ディスプレイ（好ましくは、カラー液晶ディスプレイ）等の広告表示部２１０と、印刷したシール用紙等を排出する用紙排出部２１１とを備えている。また、コントロールレバーや各種ボタン等の入力部や、スピーカーや、マイクや、無停電電源ユニット（ＵＰＳ）等を適宜備えても良い。
【００２５】
そして、プリント装置（２０ａ、２０ｂ〜２０ｎ）の記憶部２０３には、シール印刷に用いるレイアウト・書体・背景・前景フレーム等のデータを保存蓄積したデータベースや、プリント装置の利用された日時・利用時間・利用者１１により選択されたシールレイアウトや背景の種類等に関する各種情報を保存蓄積するための履歴データベースが構築されている。そして、この履歴データベースに保存蓄積された情報は、後に、集計業務やマーケティング等に利用される。また、プリント装置の記憶部２０３には、これらのデータベースの他に、広告配信サーバー３０から送信された表示用広告データや印刷用広告データ等が記憶される。
【００２６】
また、プリント装置（２０ａ、２０ｂ〜２０ｎ）の用紙排出部２１１より排出されるシールシート等の用紙の印刷レイアウトの一例を図５のイメージ図に基づいて説明する。
【００２７】
プリント装置（２０ａ、２０ｂ〜２０ｎ）により編集され、印刷され、排出されるシールシート等の用紙には、図５のように、１枚のシール用紙中に、利用者１１により選択され、編集された画像データ（カメラ付携帯電話機１０により撮影された画像データに基づき編集された画像データ等）や文字データ（利用者の氏名・電話番号・電子メールアドレス・住所等）等の利用者編集データが印刷される利用者編集データ印刷スペースと、広告配信サーバー３０により送信された印刷用広告データが印刷される印刷用広告データ印刷スペースとが設けられている。
【００２８】
印刷されるシールシート等の用紙のレイアウトは、図５のレイアウトに限らず、１枚のシール用紙中に、利用者編集データ印刷スペースと印刷用広告データ印刷スペースとを有するものであれば良く、適宜修正・変更することができる。
【００２９】
次に、広告配信サーバー３０は、広告配信サーバー３０の全体を制御する制御部と、表示用広告データや印刷用広告データ等のデータを記憶する記憶部と、メモリと、記憶部に記憶したデータをインターネット等のネットワークを介してプリント装置（２０ａ、２０ｂ〜２０ｎ）へ送信可能、且つ、プリント装置から送信された各種データを受信可能な通信部とを備えている。
【００３０】
また、広告配信サーバー３０の記憶部に記憶された表示用広告データは、広告配信サーバー３０の記憶部に記憶された印刷用広告データのいずれかと対応付けられている。
【００３１】
また、表示用広告データは、画像データでも文字データでも良く、画像データである場合には、動画データでも静止画データでも良い。更に、表示用広告データは、音声データ等が付加されたものであっても良い。
【００３２】
また、印刷用広告データは、広告データに限定されず、懸賞・割引クーポン・無料プレゼント・ポイントカード等の各種のデータであっても良い。
【００３３】
続いて、本実施の形態の広告システムにおける利用者編集データ印刷スペースに印刷される画像データ編集の主な処理の流れを図６に基づいて説明する。
【００３４】
先ず、カメラ付携帯電話機１０に装備されたカメラ１０９により人物や動植物や風景等の撮影がなされる（Ｓ１０）。この撮影された画像データは、静止画データの場合は、通常、バイナリーデータとしてＪＰＥＧ（ｊｏｉｎｔ  ｐｈｏｔｏｇｒａｐｈｉｃ  ｅｘｐｅｒｔｓ  ｇｒｏｕｐ）形式で保存されているが、その他、ビットマップ・ディスプレイ（ｂｉｔ−ｍａｐｐｅｄ  ｄｉｓｐｌａｙ）形式、ＰＮＧ（ｐｏｒｔａｂｌｅ  ｎｅｔｗｏｒｋ  ｇｒａｐｈｉｃｓ）形式等でカメラ付携帯電話機１０の画像フォルダに保存される場合もある。また、動画データの場合は、通常、ＭＰＥＧ（ｍｏｖｉｎｇ  ｐｉｃｔｕｒｅ  ｅｘｐｅｒｔｓ  ｇｒｏｕｐ）形式で画像フォルダに保存される（Ｓ１１）。
【００３５】
次に、カメラ付携帯電話機１０において、この画像フォルダに保存された画像データの中から、送信処理を行う画像データの選択処理が行われると（Ｓ１２）、この選択された画像データがバイナリーデータからテキストデータに変換される変換処理が行われる（Ｓ１３）。
【００３６】
この変換処理の後、選択した画像データがテキストデータの形式で赤外線データ通信により、プリント装置（２０ａ、２０ｂ〜２０ｎ）へ送信される（Ｓ１４）。
【００３７】
また、場合によっては、プリント装置（２０ａ、２０ｂ〜２０ｎ）は、画像データだけでなく、カメラ付携帯電話機１０の記憶部に保存されたで任意に入力された文字データもカメラ付携帯電話機１０より赤外線データ通信により受信処理する。
【００３８】
カメラ付携帯電話機１０の記憶部に保存された文字データ（氏名・自携帯電話番号・自携帯電子メールアドレス等の所有者データや、アドレス帳データや、コメントデータや、スケジュール帳データ等）は、一般的にテキストデータの一種であるｖＣａｒｄやｖＣａｌｅｎｄａｒやｖＮｏｔｅの形式で保存されいるため、後に、プリント装置（２０ａ、２０ｂ〜２０ｎ）は、この受信した文字データをそのままの状態（テキストデータのまま）で表示処理を行う。
【００３９】
なお、テキストデータに変換された画像データや、ｖＣａｒｄやｖＣａｌｅｎｄａｒやｖＮｏｔｅの形式で保存された文字データ等のオブジェクトはＩｒＭＣというデータ通信プロトコルを使ってカメラ付携帯電話機１０の赤外線送受信部からプリント装置（２０ａ、２０ｂ〜２０ｎ）の赤外線送受信部へ送信される。
【００４０】
ＩｒＭＣは、ＩｒＤＡ（Ｉｎｆｒａｒｅｄ  Ｄａｔａ  Ａｓｓｏｃｉａｔｉｏｎ）で規定されるデータ通信プロトコルのひとつで、モバイルコミュニケーション用に開発された汎用的なファイル転送機能を提供する規格である。
【００４１】
また、この赤外線データ通信時は、カメラ付携帯電話機１０の赤外線送受信部１１０とプリント装置（２０ａ、２０ｂ〜２０ｎ）の赤外線送受信部２０５とを、間に障害物を介さないかたちで、且つ、２０ｃｍ以内の距離で、対面させる状態で数秒間（５秒程度）動かさずに保持し、通信完了を待つのが望ましい。
【００４２】
プリント装置（２０ａ、２０ｂ〜２０ｎ）では、赤外線データ通信でカメラ付携帯電話機１０から送信された画像データを受信する（Ｓ１５）。プリント装置（２０ａ、２０ｂ〜２０ｎ）では、この画像データ受信後、テキストデータからＪＰＥＧ（ｊｏｉｎｔ  ｐｈｏｔｏｇｒａｐｈｉｃ  ｅｘｐｅｒｔｓ  ｇｒｏｕｐ）形式等に変換する変換プログラムを実行する変換処理が行われる（Ｓ１６）。
【００４３】
この変換プログラムは、予めプリント装置（２０ａ、２０ｂ〜２０ｎ）の記憶部に保存されている。
【００４４】
この変換処理の後、画像データを表示部２０２に表示する画像表示処理が行われる（Ｓ１７）。
【００４５】
表示部２０２は、タッチパネル形式となっているため、このタッチパネル画面にて、広告システムの利用者１１は、表示された画像データと、プリント装置の記憶部２０３に保存蓄積された背景・書体・イラスト・前景フレーム等のデータとを組合せて任意の画像データを作成すると、プリント装置（２０ａ、２０ｂ〜２０ｎ）はこれを受付け編集処理を行う（Ｓ１８）。
【００４６】
この編集処理の後、印刷を行なう画像が決定されると（Ｓ１９）、課金処理が行われる（Ｓ２０）。即ち、プリント装置の表示部２０２に料金が表示され、この表示された料金を、システム利用者１１が、金銭投入部２０７に金銭を投入する。
【００４７】
金銭が投入されたことをプリント装置（２０ａ、２０ｂ〜２０ｎ）が確認処理し、課金処理が完了すると、画像の印刷（印刷処理）が開始され、所定のシールシート等の用紙の利用者編集データ印刷スペースに画像や文字等が印刷され（Ｓ２１）、プリント装置の用紙排出部２１１より排出される（Ｓ２２）。
【００４８】
この印刷処理（Ｓ２１）の際に、プリント装置（２０ａ、２０ｂ〜２０ｎ）は、編集された画像データの他、広告配信サーバー３０からインターネット等のネットワークを介して受信した印刷用広告データを同一のシールシート等の用紙の印刷用広告データ印刷スペースに印刷する。
【００４９】
次に、この印刷用広告データ印刷スペースに印刷されるデータの判別処理の流れを図７に基づいて説明する。
【００５０】
印刷用広告データ印刷スペースに印刷されるデータの判別処理の流れは、先ず、広告配信サーバー３０は、広告配信サーバー３０の通信部より１台又は複数台のプリント装置へインターネット等のネットワークを介して、記憶部に記憶された表示用広告データの配信を行なう（Ｓ３０）。
【００５１】
この時、広告配信サーバー３０は、少なくとも、表示用広告データの配信を行なった１台又は複数台の配信先プリント装置を判別可能なプリント装置識別番号と、配信した表示用広告データを判別可能な表示用広告データ番号と、配信した日時のデータである配信日時データとの対応付けを行ない、対応付けを行なったデータを広告配信サーバー３０の記憶部に記憶する。
【００５２】
表示用広告データを配信されたプリント装置は、配信された表示用広告データを受信し（Ｓ３１）、プリント装置の広告表示部２１０へ受信した表示用広告データを表示する（Ｓ３２）。
【００５３】
その後、プリント装置において、利用者１１により編集された画像データや文字データである利用者編集データの印刷処理を要求する印刷要求がプリント装置の表示部（タッチパネル）２０２上でなされると（Ｓ２１−１）、プリント装置は、印刷要求があった旨のデータをインターネット等のネットワークを介して広告配信サーバー３０へ送信する。
【００５４】
プリント装置から印刷要求があった旨のデータを送信された広告配信サーバー３０は、送信されたデータを受信し、受信したデータに基づき該データを送信したプリント装置の識別番号を判別し、その結果判別された識別番号を有するプリント装置へ最後に配信を行なった表示用広告データ番号を判別する表示中広告データ判別処理を行なう（Ｓ２１−２）。
【００５５】
この表示中広告データ判別処理（Ｓ２１−２）は、該当する識別番号を有するプリント装置へ最後に配信を行なった表示用広告データ番号の広告データが、配信先のプリント装置で受信され、その広告表示部２１０に表示されている広告であると判断されてなされる処理である。
【００５６】
なお、この表示中広告データ判別処理（Ｓ２１−２）の代わりに、印刷要求（Ｓ２１−１）がなされた際に、プリント装置は、印刷要求があった旨のデータと、現在広告表示部２１０に表示中の表示用広告データの表示中広告データ番号とを、インターネット等のネットワークを介して広告配信サーバー３０へ送信する構成を用いて、その後、広告配信サーバー３０は、送信された表示用広告データ番号の広告データを表示中広告データと判別処理するとしても良い。
【００５７】
広告配信サーバー３０は、表示中広告データ判別処理（Ｓ２１−２）の後、記憶部に保存蓄積された印刷用広告データの中から表示中広告データと判別された表示用広告データ番号と対応付けられた印刷用広告データ番号の判別を行なう印刷用広告データ判別処理を行なう（Ｓ２１−３）。
【００５８】
続いて、広告配信サーバー３０は、印刷用広告データ判別処理により判別された印刷用広告データ番号の広告データをインターネット等のネットワークを介してプリント装置へ送信する印刷用広告データ送信処理を行なう（Ｓ２１−４）。
【００５９】
印刷用広告データを送信されたプリント装置は、送信された印刷用広告データを受信し（Ｓ２１−５）、利用者１１により指定された若しくはプリント装置により予め決定された所定のレイアウトの中の印刷用広告データ印刷スペースへ受信した印刷用広告データを合成するデータ合成処理を行ない（Ｓ２１−６）、その後、利用者編集データと印刷用広告データとが合成処理されたデータを印刷部２０６により印刷処理し（Ｓ２１−７）、印刷処理がなされたシールシート等の用紙を用紙排出口２１１より排出（Ｓ２２−１）する。
【００６０】
次に、表示用広告データ配信処理（Ｓ３０）の後に、広告配信サーバー３０にて行なわれる広告料に関する演算処理の流れを図８に基づいて説明する。
【００６１】
表示用広告データの配信処理（Ｓ３０）の後に、広告配信サーバー３０は、少なくとも、表示用広告データの配信を行なった１台又は複数台の配信先プリント装置を判別可能なプリント装置識別番号と、配信した表示用広告データを判別可能な表示用広告データ番号と、配信した日時のデータである配信日時データとの対応付けを行ない、対応付けを行なったデータを広告配信サーバー３０の記憶部に記憶する（Ｓ４０）。
【００６２】
続いて、記憶したプリント装置識別番号に基づき予め広告配信サーバー３０の記憶部に記憶されたデータの中から当該プリント装置の購入額残高を判別する（Ｓ４１）。
【００６３】
ここで、プリント装置の購入額残高とは、プリント装置の購入額から広告料収入を差引いた金額（プリント装置の購入額−広告料収入＝プリント装置の購入額残高）を指し、例えば、プリント装置の購入額が８０万円、現時点での広告料収入が３０万円の場合、そのプリント装置の購入額残高は５０万円となる。
【００６４】
続いて、Ｓ４１の判別により判別された購入額残高から今回配信を行なった表示用広告データの表示広告料を差引き新たな購入額残高を算出する（購入額残高−表示広告料＝新購入額残高）新購入額残高算出処理を行なう（Ｓ４２）。
【００６５】
そして、Ｓ４２の新購入額残高算出処理により算出された値である新購入額残高データを当該広告配信サーバーの記憶部にもともと記憶されていた購入額残高データと差替えて保存する新購入額残高保存処理を行なう（Ｓ４３）。
【００６６】
続いて、広告配信サーバー３０は、Ｓ４０で記憶した表示用広告データ番号に基づき予め広告配信サーバー３０の記憶部に記憶されたデータの中から当該表示用広告データの累積表示広告料を判別する累積表示広告料判別処理を行なう（Ｓ４４）。
【００６７】
ここで、表示用広告データの累積表示広告料とは、表示用広告データの配信が行なわれる度に、配信を行なった分の表示広告料の加算処理がなされ、その結果、算出された値を指し、例えば、１回の表示広告料が３０円の表示用広告データの配信がなされた場合、予め記憶部に保存された累積表示広告料に３０円を加算した値が表示用広告データの累積表示広告料となる。
【００６８】
また、累積表示広告料は、広告配信サーバー３０により、一定期間毎に、その数値（累積表示広告料の数値）に「０」が代入され、その差替えられた数値（「０」）が記憶される構成にしても良い。
【００６９】
この構成により、例えば、毎月末日に累積表示広告料をゼロクリアすることが可能となり、月毎の累積表示広告料を容易に算出することが可能となる。
【００７０】
続いて、Ｓ４４の判別により判別された累積表示広告料に今回配信を行なった表示用広告データの表示広告料を加算し新たな累積表示広告料を算出する（累積表示広告料＋表示広告料＝新累積表示広告料）新累積表示広告料算出処理を行なう（Ｓ４５）。
【００７１】
そして、Ｓ４５の新累積表示広告料算出処理により算出された値である新累積表示広告料データを当該広告配信サーバーの記憶部にもともと記憶されていた累積表示広告料データと差替えて保存する新累積表示広告料保存処理を行なう（Ｓ４６）。
【００７２】
次に、印刷用広告データ送信処理（Ｓ２１−４）の後に、広告配信サーバー３０にて行なわれる広告料に関する演算処理の流れを図９に基づいて説明する。
【００７３】
印刷用広告データの送信処理（Ｓ２１−４）の後に、広告配信サーバー３０は、少なくとも、印刷用広告データの送信を行なった１台又は複数台の送信先プリント装置を判別可能なプリント装置識別番号と、送信した印刷用広告データを判別可能な印刷用広告データ番号と、送信した日時のデータである送信日時データとの対応付けを行ない、対応付けを行なったデータを広告配信サーバー３０の記憶部に記憶する（Ｓ５０）。
【００７４】
続いて、記憶したプリント装置識別番号に基づき予め広告配信サーバー３０の記憶部に記憶されたデータの中から当該プリント装置の購入額残高を判別する（Ｓ５１）。
【００７５】
ここで、プリント装置の購入額残高とは、プリント装置の購入額から広告料収入を差引いた金額（プリント装置の購入額−広告料収入＝プリント装置の購入額残高）を指し、例えば、プリント装置の購入額が８０万円、現時点での広告料収入が３０万円の場合、そのプリント装置の購入額残高は５０万円となる。
【００７６】
続いて、Ｓ５１の判別により判別された購入額残高から今回送信を行なった印刷用広告データの印刷広告料を差引き新たな購入額残高を算出する（購入額残高−印刷広告料＝新購入額残高）新購入額残高算出処理を行なう（Ｓ５２）。
【００７７】
そして、Ｓ５２の新購入額残高算出処理により算出された値である新購入額残高データを当該広告配信サーバーの記憶部にもともと記憶されていた購入額残高データと差替えて保存する新購入額残高保存処理を行なう（Ｓ５３）。
【００７８】
続いて、広告配信サーバー３０は、Ｓ５０で記憶した印刷用広告データ番号に基づき予め広告配信サーバー３０の記憶部に記憶されたデータの中から当該印刷用広告データの累積印刷広告料を判別する累積印刷広告料判別処理を行なう（Ｓ５４）。
【００７９】
ここで、印刷用広告データの累積印刷広告料とは、印刷用広告データの送信が行なわれる度に、送信を行なった分の印刷広告料の加算処理がなされ、その結果、算出された値を指し、例えば、１回の印刷広告料が５０円の印刷用広告データの送信がなされた場合、予め記憶部に保存された累積印刷広告料に５０円を加算した値が印刷用広告データの累積印刷広告料となる。
【００８０】
また、累積印刷広告料は、広告配信サーバー３０により、一定期間毎に、その数値（累積印刷広告料の数値）に「０」が代入され、その差替えられた数値（「０」）が記憶される構成にしても良い。
【００８１】
この構成により、例えば、毎月末日に累積印刷広告料をゼロクリアすることが可能となり、月毎の累積印刷広告料を容易に算出することが可能となる。
【００８２】
続いて、Ｓ５４の判別により判別された累積印刷広告料に今回送信を行なった印刷用広告データの印刷広告料を加算し新たな累積印刷広告料を算出する（累積印刷広告料＋印刷広告料＝新累積印刷広告料）新累積印刷広告料算出処理を行なう（Ｓ５５）。
【００８３】
そして、Ｓ５５の新累積印刷広告料算出処理により算出された値である新累積印刷広告料データを当該広告配信サーバーの記憶部にもともと記憶されていた累積印刷広告料データと差替えて保存する新累積印刷広告料保存処理を行なう（Ｓ５６）。
【００８４】
以上説明した、本実施例に係る広告システム及び広告方法によれば、カメラ付携帯電話機やデジタルカメラ等の携帯端末で撮影した画像データを赤外線データ通信等の通信手段によりプリント装置へ送信し、そこで各種編集処理を行なった後に、シールシート等の所定の用紙に印刷を行なうプリントシステムにおいて、利用者がプリント装置で画像の編集作業等を行なっている最中や、プリント装置に利用者がいないアイドルタイム時等にも常に、そのプリント装置の広告表示部に広告データを表示可能とすると共に、利用者からの印刷実行指示があった際に、その時に広告表示部に表示された広告データと関連した（対応付けられた）印刷用広告データを利用者により編集された画像データ等と同一の用紙に印刷することが可能となるため、極めて効果的な宣伝広告が可能となる。また、サービス提供者にとっては、広告掲載主より表示広告料・印刷広告料等の新たな広告収入を得ることが可能となる。更に、その表示広告料・印刷広告料等の広告収入を広告配信サーバー上で管理することが可能となる。
【図面の簡単な説明】
【００８５】
【図１】本実施の形態の広告システムのイメージ図である。
【図２】カメラ機能を有した携帯電話機の構成の概略ブロック図である。
【図３】本実施の形態の広告システムに用いられるプリント装置のイメージ図である。
【図４】プリント装置の構成の概略ブロック図である。
【図５】シールシート等の用紙に印刷された印刷レイアウトの一例を示したイメージ図である。
【図６】本実施の形態の広告システムにおける利用者編集データ印刷スペースに印刷される画像データ編集の主な処理の流れを示した図である。
【図７】印刷用広告データ印刷スペースに印刷されるデータの判別処理の流れを示した図である。
【図８】広告料に関する演算処理の流れを示した図である。
【図９】広告料に関する演算処理の流れを示した図である。
【符号の説明】
【００８６】
１０  カメラ付携帯電話機
１１  利用者
１０１  制御部
１０２  入力部
１０３  通信部
１０４  記憶部
１０５  表示部
１０６  スピーカー
１０７  マイク
１０８  バッテリー
１０９  カメラ
１１０  赤外線送受信部
２０ａ  プリント装置
２０ｂ  プリント装置
２０ｎ  プリント装置
２０１  制御部
２０２  表示部（タッチパネル）
２０３  記憶部
２０４  メモリ
２０５  赤外線送受信部
２０６  印刷部
２０７  金銭投入部
２０８  データ変換処理部
２０９  通信部
２１０  広告表示部
２１１  用紙排出部
３０  広告配信サーバー
【図１】
2005056158.tif 000003
【図２】
2005056158.tif 000004
【図３】
2005056158.tif 000005
【図４】
2005056158.tif 000006
【図５】
2005056158.tif 000007
【図６】
2005056158.tif 000008
【図７】
2005056158.tif 000009
【図８】
2005056158.tif 000010
【図９】
2005056158.tif 000011